(57)【要約】【課題】  機器側コネクタに複数の相手側コネクタを容易に一括して嵌脱することができる小型化で簡単な構造のコネクタおよびコネクタ嵌脱構造を提供すること。【解決手段】  支軸受け部１７に挿入された支軸部２０を支点としてコネクタ嵌脱用治具１８を一方向に回動操作することによって、複数の相手側コネクタ１２，１３を収容したフレーム１４が相手側コネクタ１２，１３の嵌合方向に押圧され、それにより複数の相手側コネクタ１２，１３が機器側コネクタ１１に一括挿着される。また、コネクタ嵌脱用治具１８が支軸部２０を支点として前記一方向と反対方向に回動操作されると、延長部２４を作用軸２１が相手側コネクタ１２，１３の離脱方向に押圧し、それにより複数の相手側コネクタ１２，１３が機器側コネクタ１１から一括離脱される。【選択図】      図２
2005216658.tif 000002
【特許請求の範囲】
【請求項１】
機器の壁面に対して直接組み付けられた機器側コネクタと、前記機器の壁面に沿って前記機器側コネクタに着脱される複数の相手側コネクタと、前記複数の相手側コネクタを所定間隔で着脱可能に収容する複数の収容部を有するフレームと、を備え、前記機器側コネクタに前記複数の相手側コネクタを着脱可能に組付けるコネクタであって、
前記機器側コネクタには支軸受け部が形成されており、
棒状の支柱部、前記支柱部上に略垂直に立設された、前記支軸受け部に挿入可能な、支軸部、および前記支柱部上に前記支軸部の立設方向と同一方向に立設され且つ前記支軸部が前記支軸受け部に挿入された状態において前記フレームの前記複数の収容部の間に当接する位置に設けられた作用軸、を有するコネクタ嵌脱用治具を、前記支軸受け部に挿入された前記支軸部を支点として一方向に回動動作させることによって、前記複数の相手側コネクタを収容した前記フレームを前記相手側コネクタの嵌合方向に押圧し、前記複数の相手側コネクタを前記機器側コネクタに一括挿着することを特徴とするコネクタ。
【請求項２】
請求項１に記載のコネクタが、前記フレームの前記収容部の間に立設した立ち上がり部と、当該立ち上がり部から屈曲するように延長し且つ、前記支軸部が前記支軸受け部に挿入された状態において前記コネクタ嵌脱用治具を前記コネクタの挿入方向と反対方向に回動動作させたときに前記作用軸が当接するように設けられた延長部と、を含む引掛部を更に備え、
前記支軸部を支点として前記コネクタ嵌脱用治具を前記一方向と反対方向に回動操作することにより、前記作用軸で前記延長部を前記相手側コネクタの離脱方向に押圧して前記複数の相手側コネクタを前記機器側コネクタから一括離脱させることを特徴とするコネクタ。
【請求項３】
機器の壁面に対して直接組み付けられた機器側コネクタと、
前記機器の壁面に沿って前記機器側コネクタに着脱可能な複数の相手側コネクタと、
前記複数の相手側コネクタをそれぞれ収容および保持する所定間隔で並べられた複数の収容部を有するフレームと、
前記機器側コネクタに取り付け可能なコネクタ嵌脱用治具と、
を備え、
前記機器側コネクタ、前記フレームおよび前記コネクタ嵌脱用治具が協働して前記複数の相手側コネクタを前記機器側コネクタに着脱可能に組付けるコネクタ嵌脱構造であって、
前記機器側コネクタが、支軸受け部を有しており、
前記コネクタ嵌脱用治具が、棒状の支柱部、前記支柱部上に略垂直に立設された、前記支軸受け部に挿入可能な、支軸部、および前記支柱部上に前記支軸部の立設方向と同一方向に立設され且つ前記支軸部が前記支軸受け部に挿入された状態で前記フレームの前記複数の収容部の間に当接するように設けられた作用軸、を有し、
前記支軸受け部に挿入された前記支軸部を支点に前記コネクタ嵌脱用治具が一方向に回動動作することにより、前記作用軸によって前記フレームが前記相手側コネクタの嵌合方向に押圧され、それにより前記複数の相手側コネクタが前記機器側コネクタに一括挿着されることを特徴とするコネクタ嵌脱構造。
【請求項４】
請求項３に記載のコネクタ嵌脱構造が、前記フレームの前記収容部の間に立設した立ち上がり部と、当該立ち上がり部から屈曲するように延長し且つ、前記支軸部が前記支軸受け部に挿入された状態で前記コネクタ嵌脱用治具を前記コネクタの挿入方向と反対方向に回動操作したときに前記作用軸が当接するように設けられた延長部と、を含む引掛部を更に備え、
前記支軸部を支点として前記コネクタ嵌脱用治具を前記一方向と反対方向に回動操作することにより、前記作用軸で前記延長部を前記相手側コネクタの離脱方向に押圧して前記複数の相手側コネクタを前記機器側コネクタから一括離脱させることを特徴とするコネクタ嵌脱構造。
【発明の詳細な説明】
【技術分野】
【０００１】
本発明は、機器側コネクタに相手側コネクタを容易に嵌脱することができるコネクタ嵌脱構造に関する。
【背景技術】
【０００２】
コネクタ嵌脱構造の一例が図４に示される。図４に示されるように、このコネクタ嵌脱構造は、リフレバー５１，５２を用いて相手側コネクタ５３，５４を機器側コネクタ５５に挿着するようにしたコネクタ５０に備えられている。
【０００３】
コネクタ５０は、その機器側コネクタ５５に、リフレバー５１，５２と、相手側コネクタ５３，５４を挿着させる２個の挿着部５６，５７と、相手側コネクタ５３，５４がねじ止めされるねじ止め部５８，５９と、が設けられている。
【０００４】
一方の相手側コネクタ５３は、機器側コネクタ５５の一方の挿着部５６に合わせられてから、リフレバー５１が回動操作されることにより挿着部５６に挿し込まれ、ねじ止め部５８にボルト６０がねじ込まれて機器側コネクタ５５に挿着される。
【０００５】
他方の相手側コネクタ５４は、機器側コネクタ５５の他方の挿着部５７に合わせられてから、リフレバー５２が回動操作されることにより挿着部５７に挿し込まれ、ねじ止め部５９にボルト６１がねじ込まれて機器側コネクタ５５に挿着される。
【発明の開示】
【発明が解決しようとする課題】
【０００６】
ところが、上記コネクタ５０では、各相手側コネクタ５３，５４を機器側コネクタ５５に挿着するために、相手側コネクタ５３，５４に常備された各リフレバー５１，５２を用いていたため、外形が大きくなってスペース的に不利であった。また、機器側コネクタ５５に対して相手側コネクタ５３，５４を一括して嵌合および離脱させることができず、着脱作業が煩雑である。更に、各リフレバー５１，５２が複雑な構造であるために製造がし難い。
【０００７】
本発明は、上記事情に鑑みてなされたものであり、その目的は、機器側コネクタに複数の相手側コネクタを容易に一括して嵌脱することができる小型化で簡単な構造のコネクタおよびコネクタ嵌脱構造を提供することにある。
【課題を解決するための手段】
【０００８】
前述した目的を達成するため、本発明に係るコネクタは、
機器の壁面に対して直接組み付けられた機器側コネクタと、前記機器の壁面に沿って前記機器側コネクタに着脱される複数の相手側コネクタと、前記複数の相手側コネクタを所定間隔で着脱可能に収容する複数の収容部を有するフレームと、を備え、前記機器側コネクタに前記複数の相手側コネクタを着脱可能に組付けるコネクタであって、
前記機器側コネクタには支軸受け部が形成されており、
棒状の支柱部、前記支柱部上に略垂直に立設された、前記支軸受け部に挿入可能な、支軸部、および前記支柱部上に前記支軸部の立設方向と同一方向に立設され且つ前記支軸部が前記支軸受け部に挿入された状態において前記フレームの前記複数の収容部の間に当接する位置に設けられた作用軸、を有するコネクタ嵌脱用治具を、前記支軸受け部に挿入された前記支軸部を支点として一方向に回動動作させることによって、前記複数の相手側コネクタを収容した前記フレームを前記相手側コネクタの嵌合方向に押圧し、前記複数の相手側コネクタを前記機器側コネクタに一括挿着することを特徴としている。
【０００９】
上記構成のコネクタによれば、支軸部を支点とする一方向へのコネクタ嵌脱用治具の回動動作を行なうことにより、複数の相手側コネクタを収容したフレームが相手側コネクタの機器側コネクタへの嵌合方向に押圧されて、複数の相手側コネクタが機器側コネクタに一括挿着される。従って、リフレバー等の補助部材を常備する必要がなくなるため、外形を小さくすることができるとともに複雑な構造とならない。これにより、小型化を図れるとともに簡単な構造とすることができる。
【００１０】
また、上記コネクタは、前記フレームの前記収容部の間に立設した立ち上がり部と、当該立ち上がり部から屈曲するように延長し且つ、前記支軸部が前記支軸受け部に挿入された状態において前記コネクタ嵌脱用治具を前記コネクタの挿入方向と反対方向に回動動作させたときに前記作用軸が当接するように設けられた延長部と、を含む引掛部を更に備えていると、前記支軸部を支点として前記コネクタ嵌脱用治具を前記一方向と反対方向に回動操作することにより、前記作用軸で前記延長部を前記相手側コネクタの離脱方向に押圧して前記複数の相手側コネクタを前記機器側コネクタから一括離脱させることができるので好ましい。
【００１１】
また、前述した目的を達成するため、本発明に係るコネクタ嵌脱構造は、
機器の壁面に対して直接組み付けられた機器側コネクタと、
前記機器の壁面に沿って前記機器側コネクタに着脱可能な複数の相手側コネクタと、
前記複数の相手側コネクタをそれぞれ収容および保持する所定間隔で並べられた複数の収容部を有するフレームと、
前記機器側コネクタに取り付け可能なコネクタ嵌脱用治具と、
を備え、
前記機器側コネクタ、前記フレームおよび前記コネクタ嵌脱用治具が協働して前記複数の相手側コネクタを前記機器側コネクタに着脱可能に組付けるコネクタ嵌脱構造であって、
前記機器側コネクタが、支軸受け部を有しており、
前記コネクタ嵌脱用治具が、棒状の支柱部、前記支柱部上に略垂直に立設された、前記支軸受け部に挿入可能な、支軸部、および前記支柱部上に前記支軸部の立設方向と同一方向に立設され且つ前記支軸部が前記支軸受け部に挿入された状態で前記フレームの前記複数の収容部の間に当接するように設けられた作用軸、を有し、
前記支軸受け部に挿入された前記支軸部を支点に前記コネクタ嵌脱用治具が一方向に回動動作することにより、前記作用軸によって前記フレームが前記相手側コネクタの嵌合方向に押圧され、それにより前記複数の相手側コネクタが前記機器側コネクタに一括挿着されることを特徴としている。
【００１２】
上記構成のコネクタ嵌脱構造によれば、支軸部を支点とする一方向へのコネクタ嵌脱用治具の回動動作を行なうことにより、複数の相手側コネクタを収容したフレームが相手側コネクタの機器側コネクタへの嵌合方向に押圧されて、複数の相手側コネクタが機器側コネクタに一括挿着される。従って、リフレバー等の補助部材を常備する必要がなくなるため、外形を小さくすることができるとともに複雑な構造とならない。これにより、小型化を図れるとともに簡単な構造とすることができる。
【００１３】
また、上記コネクタ嵌脱構造は、前記フレームの前記収容部の間に立設した立ち上がり部と、当該立ち上がり部から屈曲するように延長し且つ、前記支軸部が前記支軸受け部に挿入された状態で前記コネクタ嵌脱用治具を前記コネクタの挿入方向と反対方向に回動操作したときに前記作用軸が当接するように設けられた延長部と、を含む引掛部を更に備えていると、前記支軸部を支点として前記コネクタ嵌脱用治具を前記一方向と反対方向に回動操作することにより、前記作用軸で前記延長部を前記相手側コネクタの離脱方向に押圧して前記複数の相手側コネクタを前記機器側コネクタから一括離脱させることができるので好ましい。
【発明の効果】
【００１４】
本発明のコネクタおよびコネクタ嵌脱構造によれば、機器側コネクタに複数の相手側コネクタを容易に一括して嵌脱することができ、小型化を図れるとともに簡単な構造とすることができる。
【００１５】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１６】
以下、本発明に係る実施形態を図面に基づいて詳細に説明する。
【００１７】
図１は本発明に係るコネクタ嵌脱構造の一実施形態を示す外観斜視図、図２は図１に示すコネクタ嵌脱構造のコネクタ挿着前（コネクタ完全嵌合寸前）の外観斜視図、そして図３は図１に示すコネクタ嵌脱構造のコネクタ挿着時（コネクタ完全嵌合時）の外観斜視図である。
【００１８】
図１に示されるように、本発明の一実施形態であるコネクタ嵌脱構造に用いられるコネクタ１０は、機器(不図示)の壁面４１に対して直接組み付けられた機器側コネクタ１１と、機器の壁面４１に沿って機器側コネクタ１１に着脱される複数の相手側コネクタ１２，１３と、複数の相手側コネクタ１２，１３をそれぞれ着脱可能に収容および保持する所定間隔で並設された複数の収容部１５，１６を有するフレーム１４と、を備え、機器側コネクタ１１に複数の相手側コネクタ１２，１３を着脱可能に組付けるコネクタ１０である。尚、機器側コネクタ１１には支軸受け部１７が形成されている。
【００１９】
コネクタ１０に着脱自在なコネクタ嵌脱用治具１８は、図２に示されるように、棒状の支柱部１９、当該支柱部１９上に略垂直に立設され且つ支軸受け部１７に挿入される支軸部２０、支柱部１９上に支軸部２０の立設方向と同一方向に立設され且つ支軸部２０が支軸受け部１７に挿入された状態においてフレーム１４の複数の収容部１５，１６の間に当接する位置に設けられた作用軸２１、および支柱部１９の端部から突出するグリップ３３、を有する。
【００２０】
そして図３に示されるように、コネクタ嵌脱用治具１８を支軸受け部１７に挿入された支軸部２０を支点として一方向に回動操作することによって、複数の相手側コネクタ１２，１３を収容したフレーム１４が相手側コネクタ１２，１３の嵌合方向に押圧され、それにより複数の相手側コネクタ１２，１３が機器側コネクタ１１に一括挿着される。
【００２１】
また、コネクタ１０は、フレーム１４の収容部１５，１６の間に立設した立ち上がり部２３と、当該立ち上がり部２３から屈曲するように延長し且つ、支軸部２０が支軸受け部１７に挿入された状態においてコネクタ嵌脱用治具１８をコネクタ１０の挿入方向と反対方向に回動操作したときに作用軸２１が当接するように設けられた延長部２４と、を含む引掛部２２を備えている。
【００２２】
コネクタ嵌脱用治具１８が支軸部２０を支点として前記一方向と反対方向に回動操作されると、延長部２４を作用軸２１が相手側コネクタ１２，１３の離脱方向に押圧し、それにより複数の相手側コネクタ１２，１３が機器側コネクタ１１から一括離脱される。
【００２３】
このように構成された本発明に係るコネクタ嵌脱構造の一実施形態の詳細について以下に説明する。
【００２４】
機器側コネクタ１１は、機器の壁面４１にボルト２５がねじ込まれることにより直接組み付けられており、上面に２個のコネクタ挿着部２６，２７が長手方向に並べて配されている。コネクタ挿着部２６，２７内には、３本ずつの機器側ワイヤハーネス（不図示）の端部に設けられた端子（不図示）がそれぞれ配置されている。
【００２５】
また、機器側コネクタ１１には、図１中の手前側である一端部に上述した支軸受け部１７が形成されている。支軸受け部１７は、機器側コネクタ１１の厚さ方向に沿ってＵ字形状に形成されており、コネクタ嵌脱用治具１８の支軸部２０が挿入されることにより、支軸部２０を回動自在に支持してコネクタ嵌脱用治具１８の支点にする。
【００２６】
フレーム１４は、機器側コネクタ１１の上面と略同一の外形を持つ板形状に形成されており、貫通孔状をなす２個の収容部１５，１６が本体部２８の長手方向に並べて配置されている。フレーム１４は、その収容部１５，１６内に相手側コネクタ１２，１３が挿入された際に相手側コネクタ１２，１３を保持する保持手段（不図示）を備えている。
【００２７】
フレーム１４の引掛部２２は、本体部２８の中央部上で収容部１５，１６の間に立設された立ち上がり部２３と、この立ち上がり部２３から屈曲するように延設された延長部２４とからなるが、延長部２４と本体部２８との間の空間部はコネクタ嵌脱用治具１８の作用軸２１が挿入されることにより作用軸２１をコネクタ嵌脱用治具１８の作用点にする。この延長部２４と本体部２８との間の空間部は、支軸受け部１７と同一方向に開口している。
【００２８】
フレーム１４の収容部１５，１６に挿入されることによりフレーム１４に一体的に組付けられる相手側コネクタ１２，１３には、３本ずつの相手側ワイヤハーネス２９Ａ，２９Ｂ，２９Ｃ，３０Ａ，３０Ｂ，３０Ｃがそれぞれ引込まれており、これら複数の相手側ワイヤハーネス２９Ａ，２９Ｂ，２９Ｃ，３０Ａ，３０Ｂ，３０Ｃの端部とそれぞれ電気的に接続された複数の端子（不図示）が内部に配置されている。尚、相手側コネクタ１２，１３には、それらの外側に防水・防塵用のハーネスカバー３１，３２が被着されている。
【００２９】
コネクタ嵌脱用治具１８の支軸部２０は、先端部に、支軸部２０の外径および支軸受け部１７の内径よりも大きい外径を有するボス３４が形成されている。よって、支軸部２０が機器側コネクタ１１の支軸受け部１７に挿入された状態において、ボス３４により抜け止めされて支軸受け部１７によって回動自在に支持される。ボス３４は、支軸部２０の先端部に設けられているため、支軸部２０を支軸受け部１７に挿入する際および、支軸部２０を支軸受け部１７から抜き取る際に支障とならない。
【００３０】
コネクタ嵌脱用治具１８のグリップ３３は、支柱部１９端部にある曲げられた部分の板厚方向に沿って突出しており、コネクタ嵌脱用治具１８の回動動作時の力点となる。グリップ３３は、支柱部１９の端部自体が屈曲されて形成されたものであってもよい。
【００３１】
次に、図２および図３を参照して、コネクタ１０の嵌合手順および離脱手順について説明する。
【００３２】
コネクタ１０の挿着に際しては、まず、各相手側コネクタ１２，１３をフレーム１４の収容部１５，１６に組み入れ、フレーム１４に保持された各相手側コネクタ１２，１３を機器側コネクタ１１のコネクタ挿着部２６，２７にそれぞれ仮嵌合させる。この仮嵌合は、作業者が手で行なっても、或いは自動機を用いて行なってもよい。
【００３３】
次に、コネクタ嵌脱用治具１８の支軸部２０を支軸受け部１７に、そして作用軸２１を引掛部２２の延長部２４と本体部２８との間の空間部に、それぞれ挿入して、コネクタ嵌脱用治具１８を機器側コネクタ１１とフレーム１４とに装着する。この際の挿入は、支軸受け部１７および引掛部２２の延長部２４と本体部２８との間の空間部が同一方向に開口しているために容易である。
【００３４】
続いて、図３に示すように、機器側コネクタ１１とフレーム１４とに装着されたコネクタ嵌脱用治具１８のグリップ３３が下方に向けて押圧される。グリップ３３が下方に向けて押圧されると、支軸部２０を支点とし、作用軸２１を作用点とする、一方向への回動動作が行なわれるために、相手側コネクタ１２，１３を保持したフレーム１４が相手側コネクタ１２，１３とともに相手側コネクタ１２，１３の嵌合方向に押圧されて、相手側コネクタ１２，１３が機器側コネクタ１１のコネクタ挿着部２６，２７に押し込まれていき、相手側コネクタ１２，１３が機器側コネクタ１１に一括挿着される。一括挿着が終了したところで、コネクタ嵌脱用治具１８が取り外される。
【００３５】
コネクタ１０の離脱に際しては、機器側コネクタ１１とフレーム１４とに、コネクタ嵌脱用治具１８を装着してから、支軸部２０を支点としてグリップ３３を挿着時の方向と反対方向に回動操作することにより、延長部２４に作用軸２１が係止されて、フレーム１４が上方に向けて持ち上げられるため、相手側コネクタ１２，１３が離脱方向に引っ張られ、相手側コネクタ１２，１３が機器側コネクタ１１から一括離脱される。一括離脱が終了したところで、コネクタ嵌脱用治具１８が取り外される。
【００３６】
このように、本実施形態のコネクタ嵌脱構造によれば、リフレバー等の補助部材を常備する必要がなく、コネクタ嵌脱用治具１８が機器側コネクタ１１とフレーム１４に対して着脱自在であり、挿着時および離脱時にのみ機器側コネクタ１１に取り付けてフレーム１４を押圧すればよいため、コネクタ１０の外形を小さくすることができるとともにコネクタ１０が複雑な構造とならない。よって、コネクタ１０の小型化が図れるとともに簡単な構造にすることができる。
【００３７】
ところで、本発明が有効に適用可能なものとして例えば高圧用コネクタを挙げることができる。高圧用コネクタでは、挿着に際して相手側コネクタ１個で例えば７０Ｎ（ニュートン）を超える荷重を必要とするものがある。この場合、半嵌合等の不完全挿着を防止すべく、大きな荷重を与えて確実に挿着を行なうことが望まれる。このような高圧用コネクタであっても本発明は優れた効果を奏する。
【００３８】
本実施形態のコネクタ嵌脱用治具１８は、支軸部２０が支点となり、作用軸２１が作用点となり、そしてグリップ３３の荷重点が力点となる。そのため、グリップ３３の荷重点から支軸部２０の中心までの距離と、支軸部２０の中心から作用軸２１の中心までの距離と、による、てこの原理を用いて、相手側コネクタ１２，１３を機器側コネクタ１１に対して、相手側コネクタ１個で７０Ｎを超える大きな荷重ででも押圧することができる。
【００３９】
尚、本発明は、前述した実施形態に限定されるものではなく、適宜、変形，改良，等が可能である。
【００４０】
例えば、相手側コネクタの数は、図示した２個以上であってもよい。もちろん、その場合には、フレームの収容部、および機器側コネクタのコネクタ挿着部の数も相手側コネクタの数と同数設けられる。
【００４１】
また、相手側コネクタおよび機器側コネクタに接続されるワイヤハーネスの数は、仕様に応じて適宜設定される。
【００４２】
また、コネクタ嵌脱用治具は、図示した形状に限定されず、支柱部をパイプ形状や丸棒形状に形成してもよい。また、コネクタ嵌脱用治具のグリップは、図示した形状に限定されず、支柱部端部にある曲げられた部分をそのまま延長して形成したものであってもよい。よって、コネクタ嵌脱用治具のグリップの形状は、コネクタが配置されるスペースの形状に応じて適宜変更すればよい。
【図面の簡単な説明】
【００４３】
【図１】本発明に係るコネクタ嵌脱構造の一実施形態を示す外観斜視図である。
【図２】図１に示すコネクタ嵌脱構造のコネクタ挿着前（コネクタ完全嵌合寸前）の外観斜視図である。
【図３】図１に示すコネクタ嵌脱構造のコネクタ挿着時（コネクタ完全嵌合時）の外観斜視図である。
【図４】コネクタ嵌脱構造の一例の外観図である。
【符号の説明】
【００４４】
１０        コネクタ
１１        機器側コネクタ
１２，１３  相手側コネクタ
１４        フレーム
１５，１６  収容部
１７        支軸受け部
１８        コネクタ嵌脱用治具
１９        支柱部
２０        支軸部
２１        作用軸
２２        引掛部
２３        立ち上がり部
２４        延長部
４１        機器の壁面
【図１】
2005216658.tif 000003
【図２】
2005216658.tif 000004
【図３】
2005216658.tif 000005
【図４】
2005216658.tif 000006